【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
画像記録装置における画像データ検索方法において、前記画像記録装置のディスプレイ装置上に検索したい日時を入力し、該日時を表示するとともに該当する日時に対応する画像データを検索し、該当日時に対応する画像データが記録されていないときは該入力された日時に最も近い画像データを検出表示することを特徴とする画像記録装置における画像データ検索方法。
【請求項２】
請求項１記載の画像記録装置における画像データ検索方法において、前記入力された日時に対応する画像データがない場合、前の画像データを表示すると共に前の画像データと同じ画像データであることを示す表示を行うことを特徴とする画像記録装置における画像データ検索方法。
【請求項３】
画像記録装置における画像データ検索方法において、前記画像記録装置のディスプレイ装置上に検索したい日時を入力し、該日時を表示するとともに該当する日時に対応する画像データを検索し、該当日時に対応する画像データが記録されていないときは該入力された日時に最も近い画像データを検出表示し、該表示された画像データが目的とする画像データでない場合にオペレータの操作に応じ、前記入力された日時に第２番目に近い画像データを検出表示することを特徴とする画像記録装置における画像データ検索方法。
【請求項４】
画像記録装置における画像データ検索方法において、前記画像記録装置のディスプレイ装置上に検索したい日時を入力し、該日時を表示するとともに該当する日時に対応する画像データを検索し、該当日時に対応する画像データが記録されていないときは順次該入力された日時に近い順に画像データを検出表示することを特徴とする画像記録装置における画像データ検索方法。
【請求項５】
入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、
所要の前記記録された画像データと該画像データの記録日時とを前記ディスプレイ装置上に表示し、
表示された前記画像データの記録日時の各値（年、月、日、時、分、秒、フレーム）を、前記入力装置を操作して所要の記録日時の各値に設定し、
前記各値を設定した時点で前記データベースを検索し、所要の記録日時の画像データを前記ディスプレイ装置上に表示させることを特徴とする画像記録装置における画像データ検索方法。
【請求項６】
入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、
所要の前記記録された画像データと該画像データの記録日時とを前記ディスプレイ装置上に表示し、
表示された前記画像データの記録日時の各値（年、月、日、時、分、秒、フレーム）を、前記入力装置を操作して所要の記録日時の各値に設定し、
前記各値を設定した時点で前記データベースを検索して、前記設定した日時の画像データが前記データベースに存在しない場合には、設定した日時の直近の日時の画像データを前記ディスプレイ装置上に表示させることを特徴とする画像記録装置における画像データ検索方法。
【請求項７】
入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、
所要の前記記録された画像データと該画像データの記録日時とを前記ディスプレイ装置上に表示し、
表示された前記画像データの記録日時の各値（年、月、日、時、分、秒、フレーム）を、前記入力装置を操作して所要の記録日時の各値に設定し、
前記各値を設定した時点で前記データベースを検索して、前記設定した日時の画像データが前記データベースに存在しない場合には、設定した日時の直近の日時の画像データを前記ディスプレイ装置上に表示させ、
前記入力装置の所定ボタンを所定回数押すことで、表示されている画像データのつぎの日時の画像データを表示することを特徴とする画像記録装置における画像データ検索方法。
【請求項８】
画像記録装置における画像データ検索方法において、前記画像記録装置のディスプレイ装置上に検索用の日時データと該日時データの所定位置を指示するためのカーソルを表示するステップと、入力装置の操作により前記カーソルを日時データの所望の位置に移動するステップと、前記入力装置の操作により前記所望の位置に置ける前記日時データの値を変更するステップとを備え、前記日時データの値が変更される度に該変更された日時データに対応する画像データが検索され、当該日時データに対応する画像データが前記ディスプレイ装置上に表示されることを特徴とする画像記録装置における画像データ検索方法。
【手続補正２】
【補正対象書類名】明細書
【補正対象項目名】０００５
【補正方法】変更
【補正の内容】
【０００５】
【課題を解決するための手段】
前記目的を達成するために、本発明の監視記録装置における画像データ検索方法は、入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、所要の前記記録された画像データと該画像データの記録日時とを前記ディスプレイ装置上に表示し、表示された前記画像データの記録日時の各値（年、月、日、時、分、秒、フレーム）を、前記入力装置を操作して所要の記録日時の各値に設定し、前記各値を設定した時点で前記データベースを検索し、所要の記録日時の画像データを前記ディスプレイ装置上に表示させるものである。


【手続補正３】
【補正対象書類名】明細書
【補正対象項目名】０００６
【補正方法】変更
【補正の内容】
【０００６】
また、本発明の監視記録装置における画像データ検索方法は、入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、所要の前記記録された画像データと該画像データの記録日時とを前記ディスプレイ装置上に表示し、表示された前記画像データの記録日時の各値（年、月、日、時、分、秒、フレーム）を、前記入力装置を操作して所要の記録日時の各値に設定し、前記各値を設定した時点で前記データベースを検索して、前記設定した日時の画像データが前記データベースに存在しない場合には、設定した日時の直近の日時の画像データを前記ディスプレイ装置上に表示させるものである。


【手続補正４】
【補正対象書類名】明細書
【補正対象項目名】０００７
【補正方法】変更
【補正の内容】
【０００７】
また、本発明の監視記録装置における画像データ検索方法は、入力される画像信号を所定フォーマットの画像データに変換するビデオインターフェースと、前記画像データおよび前記画像データに関連する情報データを含むデータを記録する記録装置と、該記録装置および前記データの制御を行なう中央演算処理装置と、前記データを表示するディスプレイ装置と、所要の操作、制御を行なうための入力装置とを有し、前記記録されたデータを保持するデータベース機能と、該データベースにもとづき、所要の画像データを検索し表示することができる画像記録装置において、所要の前記記録された画像データと該画像データの記録日時とを前記ディスプレイ装置上に表示し、表示された前記画像データの記録日時の各値（年、月、日、時、分、秒、フレーム）を、前記入力装置を操作して所要の記録日時の各値に設定し、前記各値を設定した時点で前記データベースを検索して、前記設定した日時の画像データが前記データベースに存在しない場合には、設定した日時の直近の日時の画像データを前記ディスプレイ装置上に表示させ、
前記入力装置の所定ボタンを所定回数押すことで、表示されている画像データのつぎの日時の画像データを表示するものである。
また、本発明の監視記録装置における画像データ検索方法は、画像記録装置における画像データ検索方法において、前記画像記録装置のディスプレイ装置上に検索用の日時データと該日時データの所定位置を指示するためのカーソルを表示するステップと、入力装置の操作により前記カーソルを日時データの所望の位置に移動するステップと、前記入力装置の操作により前記所望の位置に置ける前記日時データの値を変更するステップとを備え、前記日時データの値が変更される度に該変更された日時データに対応する画像データが検索され、当該日時データに対応する画像データが前記ディスプレイ装置上に表示されるものである。